(57)【要約】【課題】使用済みの光ケーブルの接続状態の確認作業及び光ケーブル配線管理を容易に行うことができる光成端箱を提供すること。【解決手段】第１の光ケーブルと第２の光ケーブルとを中継する第１の光アダプタが複数設けられた第１の光ケーブル接続パネル１０と、第１の光アダプタごとに設けられ、対応する第１の光アダプタにおける第２の光ケーブルの接続状態を検出する接続状態検出センサと、第１の光アダプタから抜去された第２の光ケーブルを接続する第２の光アダプタが複数設けられた第２の光ケーブル接続パネル２０と、を備えている。【選択図】図１
2019179134.tif 000002
【特許請求の範囲】
【請求項１】
第１の光ケーブルと第２の光ケーブルとを中継する第１の光アダプタが複数設けられた第１の光ケーブル接続パネルと、
前記第１の光アダプタごとに設けられ、対応する前記第１の光アダプタにおける前記第２の光ケーブルの接続状態を光ケーブル接続情報として検出する接続状態検出センサと、
前記第１の光アダプタから抜去された前記第２の光ケーブルを接続する第２の光アダプタが複数設けられた第２の光ケーブル接続パネルと、
を備えた、
光成端箱。
【請求項２】
請求項１に記載の光成端箱において、
前記第１の光ケーブル接続パネルでは、一部の前記第１の光アダプタが横一列に配列された第１の光アダプタブロックが、多段に配置され、一部の前記接続状態検出センサが横一列に配列された第１のセンサブロックが、対応するそれぞれの前記第１の光アダプタブロック付近に配置されている、
光成端箱。
【請求項３】
請求項２に記載の光成端箱において、
隣り合う前記第１のセンサブロックは、配線により互いに接続されている、
光成端箱。
【請求項４】
請求項１乃至３のいずれか１項に記載の光成端箱において、
マスターユニットを備え、
前記マスターユニットは、前記接続状態検出センサが検出した前記光ケーブル接続情報を取得する、
光成端箱。
【請求項５】
第１の光ケーブルと第２の光ケーブルとを中継する第１の光アダプタが複数設けられた第１の光ケーブル接続パネルと、
前記第１の光アダプタから抜去された前記第２の光ケーブルを接続する第２の光アダプタが複数設けられた第２の光ケーブル接続パネルと、
前記第２の光アダプタごとに設けられ、対応する前記第２の光アダプタにおける前記第２の光ケーブルの接続状態を光ケーブル接続情報として検出する接続状態検出センサと、
を備える、
光成端箱。
【請求項６】
請求項５に記載の光成端箱において、
前記第２の光アダプタは、それぞれの前記第１の光アダプタに対応して設けられ、
前記接続状態検出センサは、それぞれの前記第２の光アダプタ付近に配置されている、
光成端箱。
【請求項７】
請求項５または６に記載の光成端箱において、
前記第２の光アダプタは、それぞれの前記第１の光アダプタに対応して設けられ、
前記第２の光アダプタの配列は、前記第１の光アダプタの配列と対応している、
光成端箱。
【請求項８】
請求項５乃至７のいずれか１項に記載の光成端箱において、
マスターユニットを備え、
前記マスターユニットは、前記接続状態検出センサが検出した前記光ケーブル接続情報を取得する、
光成端箱。
【請求項９】
第１の光ケーブルと第２の光ケーブルとを中継する第１の光アダプタが複数設けられた第１の光ケーブル接続パネルと、
前記第１の光アダプタから抜去された前記第２の光ケーブルを接続する第２の光アダプタが複数設けられた第２の光ケーブル接続パネルと、
前記第１の光アダプタまたは前記第２の光アダプタごとに設けられ、対応する前記第１の光アダプタまたは前記第２の光アダプタにおける前記第２の光ケーブルの接続状態を検出する接続状態検出センサと、
マスターユニットと、
を備え、
それぞれの前記接続状態検出センサは、対応する前記第１の光アダプタにおける光ケーブル接続情報を検出し、
前記マスターユニットは、前記接続状態検出センサが検出した光ケーブル接続情報を取得する、
光成端箱と、
それぞれの前記第１の光アダプタにおける前記第２の光ケーブルの接続状態を監視する接続状態管理装置と、
を備え、
前記接続状態管理装置は、表示部を有し、前記光成端箱から送信される前記光ケーブル接続情報に基づいて、それぞれの前記第１の光アダプタにおける前記第２の光ケーブルの接続状態を前記表示部に表示する、
光配線接続状態管理システム。
【請求項１０】
請求項９に記載の光配線接続状態管理システムにおいて、
前記光成端箱は、前記マスターユニットと接続されるＰｏＥ（Ｐｏｗｅｒ  ｏｖｅｒ  Ｅｔｈｅｒｎｅｔ）ハブを備え、前記ＰｏＥハブを介して、前記接続状態管理装置と接続されている、
光配線接続状態管理システム。
【請求項１１】
請求項９に記載の光配線接続状態管理システムにおいて、
前記接続状態管理装置は、複数の前記光成端箱と接続されている、
光配線接続状態管理システム。
【発明の詳細な説明】
【技術分野】
【０００１】
本発明は、光成端箱及び光配線接続状態管理システムに関する。
【背景技術】
【０００２】
データセンター等の建物間及び建物内には、数多くの光ケーブルが敷設されている。これらの光ケーブルを整理するため、建物内等の主要箇所には、光ケーブルの中継を行う光成端箱が設けられている。大規模な施設では、同一箇所に数個から数十個単位の光成端箱が設置される場合もある。このような光成端箱を介して、建物間やフロア間等における光配線が実現される。このような光成端箱として、例えば、以下の特許文献１が開示されている。
【０００３】
特許文献１の光キャビネット（光成端箱）によれば、内部に配線される光ファイバの高密度化や、全体サイズの小型化等を実現することができる。具体的には、特許文献１の光キャビネットは、キャビネット本体に配線される光ファイバの余長を収納する余長収納具を備えている。この余長収納具には、マンドレル部とマンドレル部の周囲に１以上の開口部を確保しつつガイド壁との間に光ファイバ収納部が設けられている。光ファイバの余長は、光ファイバ収納部に巻くようにして収納される。
【先行技術文献】
【特許文献】
【０００４】
【特許文献１】特開２００１−２６４５４９号公報
【発明の概要】
【発明が解決しようとする課題】
【０００５】
光成端箱には、使わなくなった使用済みの光ケーブル（光コードとも言う）も収容されている。使用済みの光ケーブルはコネクタから取り外されるが、該当の光ケーブルがコネクタから取り外されたことを確認するため、作業者は現場まで出向き、該当の光ケーブルの接続状態を直接確認している。
【０００６】
その際、光ケーブルの配線管理が十分でないと、使用済みの光ケーブルが抜去されずに取り付けられていたり、使用中のはずの光ケーブルが誤って抜去されていることがあった。
【０００７】
また、光成端箱には、他の使用済みの光ケーブルも多数収容されており、これらの光ケーブルが妨げとなり、接続状態の確認作業に支障を来すこともある。
【０００８】
そこで、本発明は、使用済みの光ケーブルの接続状態の確認作業及び光ケーブルの配線管理を容易に行うことが可能な光成端箱を提供することを目的とする。
【課題を解決するための手段】
【０００９】
本願において開示される発明のうち、代表的なものの概要を簡単に説明すれば、以下のとおりである。
【００１０】
本発明の代表的な実施の形態による光成端箱は、第１の光ケーブルと第２の光ケーブルとを中継する第１の光アダプタが複数設けられた第１の光ケーブル接続パネルと、第１の光アダプタごとに設けられ、対応する第１の光アダプタにおける第２の光ケーブルの接続状態を検出する接続状態検出センサと、第１の光アダプタから抜去された第２の光ケーブルを収容する第２の光アダプタが複数設けられた第２の光ケーブル接続パネルと、を備えている。
【発明の効果】
【００１１】
本願において開示される発明のうち、代表的なものによって得られる効果を簡単に説明すれば以下のとおりである。本発明の代表的な実施の形態によれば、使用済みの光ケーブルの接続状態の確認作業及び光ケーブルの配線管理を容易に行うことが可能となる。
【図面の簡単な説明】
【００１２】
【図１】本発明の実施の形態１に係る光成端箱の構成の一例を示す斜視図である。
【図２】本発明の実施の形態１に係る光ケーブル接続パネルの構成の一例を示す図である。
【図３】本発明の実施の形態１に係る光アダプタブロックの構成の一例を示す図である。
【図４】本発明の実施の形態１に係る光アダプタブロックの他の構成の例を示す図である。
【図５】本発明の実施の形態１に係る光アダプタブロックの他の構成の例を示す図である。
【図６】スイッチを有する光アダプタの構成の例を示す図である。
【図７】図６の光アダプタに光ケーブルが接続された状態を示す図である。
【図８】本発明の実施の形態２に係る光成端箱の構成の一例を示す斜視図である。
【図９】本発明の実施の形態２に係る使用済みの第２の光ケーブルの接続方法の例を示す図である。
【図１０】本発明の実施の形態３に係る光配線接続状態管理システムの構成の一例を示す図である。
【図１１】本発明の実施の形態３に係る光配線接続状態管理システムの構成の他の例を示す図である。
【図１２】接続状態管理装置に表示される表示画像の一例を示す図である。
【発明を実施するための形態】
【００１３】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
また、本明細書と各図において、既出の図に関して前述したものと同様の要素には、同一の符号を付して、詳細な説明を適宜省略することがある。
【００１５】
（実施の形態１）
＜光成端箱の構成＞
図１は、本発明の実施の形態１に係る光成端箱の構成の一例を示す斜視図である。図２は、本発明の実施の形態１に係る光ケーブル接続パネルの構成の一例を示す図である。図３は、本発明の実施の形態１に係る光アダプタブロックの構成の一例を示す図である。
【００１６】
図１に示すように、光成端箱１００は、光ケーブル接続パネル（第１の光ケーブル接続パネル）１０、光ケーブル接続パネル（第２の光ケーブル接続パネル）２０、マスターユニット３０、筐体８０等を備えている。
【００１７】
筐体８０は、例えば直方体状に構成され、支持部９０に載置されている。筐体８０には、図示で手前側に開閉扉８０ａが設けられている。筐体８０の内部には、光ケーブル接続パネル１０，２０、マスターユニット３０等が収容されている。
【００１８】
光ケーブル接続パネル１０は、例えば、筐体８０の左側面８０ｂ側に配置されている。具体的には、光ケーブル接続パネル１０は、後述する光アダプタ保持基板１１の主面が左側面８０ｂ又は右側面８０ｃと対向するように配置されている。
【００１９】
筐体８０の天板８０ｅの左側面８０ｂ側には、開口部８５が形成されている。第１の光ケーブルは、開口部８５を介して、光ケーブル接続パネル１０と左側面８０ｂとの間の空間に導入される。一方、筐体８０の底板は開口されており、第２の光ケーブルは、支持部９０及び底板の開口を介して、光ケーブル接続パネル１０と光ケーブル接続パネル２０との間の空間に導入される。
【００２０】
＜＜光ケーブル接続パネル１０＞＞
光ケーブル接続パネル１０は、第１の光ケーブルと第２の光ケーブルとを中継するパネルである。光ケーブル接続パネル１０は、図２に示すように、光アダプタ保持基板１１と、複数の光アダプタブロック（第１の光アダプタブロック）１５とを有する。光アダプタブロック１５は、光アダプタ保持基板１１に多段に配置されている。光ケーブル接続パネル１０は、光アダプタ１７が高密度に設けられる。例えば、光ケーブル接続パネル１０には、約４００芯に対応可能な個数の光アダプタ１７が設けられる。
【００２１】
光アダプタ保持基板１１は、図１に示すように、筐体８０の下部から上部に渡って延在している。光アダプタブロック１５は、横一列に配列された一部の光アダプタ（第１の光アダプタ）１７を一体で保持する部材である。図２〜３で示される例では、光アダプタブロック１５には、１２個の光アダプタ１７が設けられている。光アダプタブロック１５は、固定部材１５ｂにより、光アダプタ保持基板１１に固定されている。図３に示すように、光アダプタブロック１５は、支持部材１５ａ、固定部材１５ｂ、及び一部の光アダプタ１７からなる。
【００２２】
図３に示す光アダプタ１７は、第１の光ケーブル及び第２の光ケーブルの端末に取り付けられている光コネクタが共にＬＣコネクタの場合であって、ＬＣ／ＬＣアダプタの例が示されている。図４，図５は、本発明の実施の形態１に係る光アダプタブロックの他の構成の例を示す図である。図４では、第１の光ケーブル及び第２の光ケーブルの端末に取り付けられている光コネクタが共にＵＴＰ−ＪＪコネクタの場合であって、ＵＴＰ−ＪＪアダプタの例が示されている。また、図５には、ＭＰＯ／ＬＣアダプタの例が示されている。これは、第２の光ケーブルの端末に取り付けられている光コネクタがＬＣコネクタであり、第１の光ケーブルの端末に取り付けられている光コネクタがＭＰＯコネクタ（多芯光コネクタ）の場合である。ＬＣアダプタとＭＰＯアダプタとはＭＰＯ／ＬＣアダプタの筐体内で光配線（図示しない）により接続されている。光ケーブル接続パネル１０では、複数種類のアダプタが任意に組合わされてもよい。
【００２３】
＜＜＜接続状態検出センサ１３ａ＞＞＞
それぞれの光アダプタブロック１５付近には、センサブロック（第１のセンサブロック）１３が配置されている。センサブロック１３は、対応するそれぞれの光アダプタブロック１５付近に配置されている。センサブロック１３は、例えば、固定部材１５ｂにより、対応する光アダプタブロック１５とともに、光アダプタ保持基板１１に固定される。すなわち、センサブロック１３は、対応する光アダプタブロック１５に対し、着脱自在である。センサブロック１３も、光アダプタブロック１５とともに、多段に配置される。
【００２４】
図２に示すように、センサブロック１３には、第２の光ケーブルの接続状態を検出する一部の接続状態検出センサ１３ａが横一列に配列されている。このように、接続状態検出センサ１３ａは、光アダプタ１７ごとに設けられ、対応する光アダプタ１７における第２の光ケーブルの接続状態を検出する。
【００２５】
接続状態検出センサ１３ａは、例えば、マスターユニット３０から供給される電力により駆動する光センサである。光センサは、光アダプタ１７側へ接続状態検出光を出射し、出射してから反射光の到達時間までの時間を測定する。そして、到達時間が所定の閾値時間以下であれば、光センサは、対応する光アダプタ１７に光ケーブルが接続されていることを検出する。そして、マスターユニット３０は、この接続状態であることを示す光ケーブル接続情報を取得する。一方、到達時間が所定の閾値時間を超えている場合、あるいは反射光が検出されない場合、光センサは、対応する光アダプタ１７に光ケーブルが接続されていないことを検出する。そして、マスターユニット３０は、この非接続状態であることを示す光ケーブル接続情報を取得する。
【００２６】
図６は、スイッチを有する光アダプタの構成の例を示す図である。図７は、図６の光アダプタに光ケーブルが接続された状態を示す図である。また、接続状態検出センサ１３ａは、図６，７に示すように、スイッチ１３ｂを備えてもよい。対応する光アダプタ１７に光ケーブルが接続されると、スイッチ１３ｂが図示で下方に押し込まれ、スイッチ１３ｂがオンされる。そうすると、図示しない配線同士がスイッチ１３ｂを介して導通状態となり、接続状態検出センサ１３ａは、光ケーブルが接続されていることを検出する。そして、マスターユニット３０は、この接続状態であることを示す光ケーブル接続情報を取得する。一方、光ケーブルが接続されていないと、スイッチ１３ｂは、下方に押し込まれないので、スイッチ１３ｂはオフである。この場合、接続状態検出センサ１３ａは、光ケーブルが接続されていないことを検出する。そして、マスターユニット３０は、この非接続状態であることを示す光ケーブル接続情報を取得する。
【００２７】
図２に示すように、隣り合うセンサブロック１３は、例えばフラットケーブル等の配線１４により互いに接続されている。また、例えば、いずれかのセンサブロック１３（例えば最下段のセンサブロック１３）は、マスターユニット３０と接続されている。したがって、それぞれの接続状態検出センサ１３ａが検出した光ケーブル接続情報は、最下段のセンサブロック１３を介してマスターユニット３０で取得される。
【００２８】
＜＜光ケーブル接続パネル２０＞＞
光ケーブル接続パネル２０は、使用済みの第２の光ケーブルを収容するパネルである。光ケーブル接続パネル２０は、光ケーブル接続パネル１０の構成と類似している。光ケーブル接続パネル２０は、図１に示すように、光アダプタ保持基板２１と、複数の光アダプタブロック２５とを有する。光アダプタブロック２５は、光アダプタ保持基板２１に多段に配置されている。
【００２９】
光アダプタ保持基板２１は、図１に示すように、筐体８０の下部から上部に渡って延在している。例えば、光アダプタ保持基板２１は、光アダプタ保持基板１１と、互いの主面同士が対向するように設置される。
【００３０】
光アダプタブロック２５は、横一列に配列された一部の光アダプタ（第２の光アダプタ）を一体で保持する部材である。光アダプタブロック２５は、固定部材により、光アダプタ保持基板２１に固定されている。光アダプタブロック２５に含まれる光アダプタは、図３〜５に示す光アダプタと同様である。なお、光ケーブル接続パネル２０の光アダプタは、光ケーブル接続パネル１０のそれぞれの光アダプタ１７に対応して設けられてもよい。
【００３１】
作業者は、使用済みとなった第２の光ケーブルを、対応する光アダプタ１７から引き抜く。そして、作業者は、引き抜いた第２の光ケーブルを、光ケーブル接続パネル２０の光アダプタに接続する。
【００３２】
＜＜マスターユニット３０＞＞
光成端箱１００は、後述するＰｏＥハブを備えている。マスターユニット３０は、ＵＴＰ（Ｕｎｓｈｉｅｌｄｅｄ  Ｔｗｉｓｔ  Ｐａｉｒ）ケーブルを介してＰｏＥと接続される。また、ＰｏＥハブは、外部装置と接続される。
【００３３】
マスターユニット３０は、光成端箱１００における各種制御を行う回路ブロックである。例えば、マスターユニット３０は、ＰｏＥハブを介して外部装置から給電される。マスターユニット３０は、それぞれの接続状態検出センサ１３ａに接続されている。マスターユニット３０は、それぞれの接続状態検出センサ１３ａが検出した信号（光ケーブル接続情報）を取得し、取得した光ケーブル接続情報を、図示しない記憶装置に格納してもよいし、バッファリングしてもよい。また、マスターユニット３０は、取得した光ケーブル接続情報に基づいて、接続されていない光アダプタ１７を検出してもよい。また、マスターユニット３０は、ＰｏＥハブを介して外部装置との間で各種情報の送受信を行う。
【００３４】
また、マスターユニット３０は、図示しない外部装置と接続されると、受信したそれぞれの光ケーブル接続情報を外部装置に送信してもよい。外部装置では、受信した光ケーブル接続情報に基づいて、接続されていない光アダプタ１７を検出することが可能である。
【００３５】
＜＜その他の構成＞＞
筐体８０の背面８０ｄには、複数の光ケーブル支持部８７が設けられている。光ケーブル支持部８７は、筐体８０の背面８０ｄから開閉扉に向かって延在している。複数の光ケーブル支持部８７は、図１に示すように、鉛直方向に２列で配置されている。
【００３６】
このうち、光ケーブル接続パネル１０側に配置された光ケーブル支持部８７は、主に、使用中の第２の光ケーブルが載置される。一方、光ケーブル接続パネル２０側に配置された光ケーブル支持部８７は、主に、使用済みの第２の光ケーブルが載置される。ただし、このような切り分けは便宜的なものであって、これに限定されるものではない。
【００３７】
光ケーブル支持部８７の上面は、曲面状になっており、光ケーブル支持部８７に載置された光ケーブルに与えるダメージが軽減されている。
【００３８】
筐体８０の背面８０ｄには、複数の光ケーブル結束部８９が設けられている。光ケーブル結束部８９は、筐体８０内の複数の第２の光ケーブルをまとめて結束する。これにより、筐体８０内の配線が整理され、接続状態の確認作業が効率的に行われる。
【００３９】
＜本実施の形態による主な効果＞
本実施の形態によれば、使用済みの第２の光ケーブルは、対応する光アダプタ１７から引き抜かれ、光ケーブル接続パネル２０の光アダプタに接続される。この構成によれば、使用済みの光ケーブルが放置されないので、筐体８０内の配線が整理され、使用済みとなった光ケーブルの接続状態の確認作業を容易に行うことが可能となる。
【００４０】
また、本実施の形態によれば、光アダプタ１７ごとに、第２の光ケーブルの接続状態を検出する接続状態検出センサ１３ａが設けられている。この構成によれば、それぞれの接続状態検出センサ１３ａが検出した光ケーブル接続情報に基づいて、光ケーブルが接続されていない光アダプタ１７を検出することができる。これにより、光成端箱１００から離れた場所にいても、各光アダプタ１７の接続状態を認識することが可能となり、光ケーブルの配線管理が容易となる。
【００４１】
また、本実施の形態によれば、光ケーブル接続パネル１０において、光アダプタブロック１５及びセンサブロック１３が多段に設けられている。この構成によれば、多数の光アダプタの接続状態をセンシングすることが可能となり、接続状態の確認作業が効率化される。
【００４２】
また、本実施の形態によれば、隣り合うセンサブロック１３は、配線１４により互いに接続されている。この構成によれば、マスターユニット３０との接続が簡略化され、接続状態の確認作業が効率化される。
【００４３】
また、本実施の形態によれば、接続状態検出センサ１３ａは光センサである。この構成によれば、光アダプタ１７における接続状態を、光ケーブルと非接触で検出することが可能となる。
【００４４】
また、本実施の形態によれば、マスターユニット３０は、ＰｏＥハブを介して給電される。この構成によれば、光センサ等、多くの電力を必要とする装置を駆動させることが可能となる。また、接続状態検出センサ１３ａを設けるにあたり、新たな電気工事が不要である。
【００４５】
（実施の形態２）
次に、実施の形態２について説明する。実施の形態では、光ケーブル接続パネル２０側に接続状態検出センサが設けられる場合について説明する。なお、本実施の形態における光成端箱の構成は、実施の形態１における光成端箱１００と類似しているので、以下では、主にこれと相違する箇所を説明する。
【００４６】
図８は、本発明の実施の形態２に係る光成端箱の構成の一例を示す斜視図である。光ケーブル接続パネル１０には、センサブロック１３は設けられていない。したがって、本実施の形態の光ケーブル接続パネル１０には、光アダプタ１７がより高密度に設けられる。例えば、光ケーブル接続パネル１０には、約８００芯にも対応可能な個数の光アダプタ１７が設けられる。
【００４７】
なお、光ケーブル接続パネル２０に設けられる光アダプタブロックは、図３に示す光アダプタブロック１５と類似しているので、本図を援用しながら説明する。光ケーブル接続パネル２０は、少なくとも光ケーブル接続パネル１０に設けられる光アダプタ１７と同数の光アダプタ（第２の光アダプタ）１１７が設けられる。光アダプタ１１７は、それぞれの光アダプタ１７に対応して設けられる。光アダプタ１１７の配列は、対応する光アダプタ１７の配列と同様である。
【００４８】
作業者は、使用済みとなった第２の光ケーブルを、対応する光アダプタ１７から取り外す。そして、作業者は、取り外した第２の光ケーブルを、光ケーブル接続パネル２０の対応する光アダプタ１１７に接続する。
【００４９】
図９は、本発明の実施の形態２に係る使用済みの第２の光ケーブルの接続方法の例を示す図である。図９には、光ケーブル接続パネル１０，２０の一部が示されている。作業者は、使用済みとなった手前側の第２の光ケーブルを光ケーブル接続パネル１０側から抜去し、抜去した第２の光ケーブルを、同じ高さにある光ケーブル接続パネル２０の手前側の光アダプタ１１７に接続する。
【００５０】
接続状態検出センサは、それぞれの光アダプタ１１７に設置されている。接続状態検出センサとして、例えば、機械式スイッチあるいは光センサスイッチがあり、光アダプタ１１７の反対側（光ケーブル接続パネル２０の背面側）に設けられる。また、すでに述べた図６，図７のようなスイッチ構成も適用可能である。使用済みの第２の光ケーブルが、対応する光アダプタ１１７に接続されると、接続状態検出センサは、使用済みの第２の光ケーブルが接続されたことを検出する。すなわち、使用済みの第２の光ケーブルが抜去され、対応する光アダプタ１７が非接続状態であることを示す光ケーブル接続情報を検出することができる。
【００５１】
本実施の形態によれば、前述の実施の形態による効果に加え、以下の効果が得られる。本実施の形態によれば、光ケーブル接続パネル２０の背面側に接続状態検出センサが設けられるので、光ケーブル接続パネル１０において、光アダプタ１７を高密度に設けることが可能となる。
【００５２】
なお、本実施の形態では、光ケーブル接続パネル１０に、センサブロック１３が設けられていない例について説明したが、実施の形態１と同様に、光ケーブル接続パネル１０に、センサブロック１３を設けた構成としても良い。
【００５３】
（実施の形態３）
次に、実施の形態３について説明する。実施の形態３では、光配線の接続状態を遠隔で管理するシステムについて説明する。
【００５４】
図１０は、本発明の実施の形態３に係る光配線接続状態管理システムの構成の一例を示す図である。図１０に示すように、光配線接続状態管理システム５００は、光成端箱１００及び接続状態管理装置３００を備えている。光配線接続状態管理システム５００には、実施の形態１，２のいずれの光成端箱が用いられてもよい。
【００５５】
図１０には、光成端箱１００における、センサブロック１３及びマスターユニット３０の詳細な構成が示されている。それぞれのセンサブロック１３は、パラレル−シリアル変換回路１３ｃを備えている。パラレル−シリアル変換回路１３ｃは、接続状態検出センサ１３ａで検出されたパラレルデータの光ケーブル接続情報をシリアルデータに変換し、シリアルデータの光ケーブル接続情報をマスターユニット３０へ出力する。
【００５６】
マスターユニット３０は、ＬＡＮポート３１、ＰｏＥ電源部３２、マイコン３３、シリアルインタフェース３４を備えている。ＬＡＮポート３１には、例えばＵＴＰケーブルが接続される。ＬＡＮポート３１は、ＵＴＰケーブルを介してＰｏＥハブ３８と接続される。ＰｏＥ電源部３２は、ＰｏＥハブ３８を介して供給される電力をマイコン３３や、接続状態検出センサ１３ａへ供給する。
【００５７】
マイコン３３は、マスターユニット３０内の各部の制御を行う。また、マイコン３３は、シリアルインタフェース３４を介して、それぞれの接続状態検出センサ１３ａで検出したシリアルデータの光ケーブル接続情報を取得する。そして、マイコン３３は、取得した光ケーブル接続情報を、ＰｏＥハブ３８を介して接続状態管理装置３００へ送信する。
【００５８】
接続状態管理装置３００は、例えば、パソコン等の情報処理端末である。図１０に示すように、接続状態管理装置３００は、表示部３１０を有している。接続状態管理装置３００は、光成端箱１００から送信される光ケーブル接続情報に基づいて、それぞれの光アダプタ１７における第２の光ケーブルの接続状態を表示部３１０に表示する。接続状態管理装置３００は、例えば、接続状態管理ソフトウェアを起動し、第２の光ケーブルの接続状態を表示部３１０に表示する。
【００５９】
図１１は、本発明の実施の形態３に係る光配線接続状態管理システムの構成の他の例を示す図である。図１１では、接続状態管理装置３００が、複数の光成端箱１００と接続された例が示されている。図１１で示される光配線接続状態管理システム５００では、実施の形態１，２の両方の光成端箱１００が含まれてもよい。
【００６０】
図１２は、接続状態管理装置に表示される表示画像の一例を示す図である。図１２に示すように、表示画像３１０ａの左側は、キャビネット（光成端箱）の名称を表示する名称表示領域である。一方、表示画像３１０ａの中央から右側は、名称表示領域において選択されたキャビネットにおける接続状態が表示される接続状態表示領域である。
【００６１】
図１２において、光コネクタ有と表示された箇所は、対応する光アダプタ１７に光ケーブルが接続された状態であることが示されている。一方、光コネクタ無と表示された箇所は、対応する光アダプタ１７に光ケーブルが接続されていない状態であることが示されている。
【００６２】
また、この状態で、別のキャビネットが選択されると、接続状態表示領域には、新たに選択されたキャビネットにおける接続状態が表示される。
【００６３】
本実施の形態によれば、それぞれの光アダプタ１７における接続状態が、接続状態管理装置３００に表示される。この構成によれば、遠隔地からでもそれぞれの光アダプタ１７における接続状態を検出することが可能となり、接続状態の確認作業が効率的に行われる。
【００６４】
また、本実施の形態によれば、接続状態管理装置３００は、複数の光成端箱１００と接続されている。この構成によれば、接続状態管理装置３００は、複数の光成端箱１００に対して、光ケーブルの接続状態を集中管理することが可能となる。これにより、接続状態の確認作業がより効率的に行われる。
【００６５】
なお、本実施の形態において、各光アダプタ１７、１１７の近傍にＬＥＤ等の表示手段を設けておき、光ケーブルを抜去すべき光アダプタ１７及び当該抜去した光ケーブルを接続すべき光アダプタ１１７に対応する位置の表示手段を点滅させることにより、作業者が各光アダプタ１７からの抜去作業及び光アダプタへの接続作業を確実に行うことができる。
【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６７】
１０，２０…光ケーブル接続パネル、１３…センサブロック、１３ａ…接続状態検出センサ、１３ｂ…スイッチ、１５…光アダプタブロック、１７，１１７…光アダプタ、３０…マスターユニット、１００…光成端箱、３００…接続状態管理装置、５００…光配線接続状態管理システム
【図１】
2019179134.tif 000003
【図２】
2019179134.tif 000004
【図３】
2019179134.tif 000005
【図４】
2019179134.tif 000006
【図５】
2019179134.tif 000007
【図６】
2019179134.tif 000008
【図７】
2019179134.tif 000009
【図８】
2019179134.tif 000010
【図９】
2019179134.tif 000011
【図１０】
2019179134.tif 000012
【図１１】
2019179134.tif 000013
【図１２】
2019179134.tif 000014